(57)【要約】【目的】パルプ繊維を含有するセメント繊維板を粉砕して粉砕物を生成し、廃棄物を有効利用して所定サイズに粒状化し、散布する際に飛散することもなく融雪効果の大なる融雪材を提供することにある。【構成】パルプ繊維を含有するセメント繊維板を粉砕して粉砕物を生成し、この粉砕物に着色顔料ペースト、結合剤及び水を混練し、所定サイズに乾燥粉砕して粒状化することを特徴としている。そして、着色顔料ペーストがカーボンブラックである。【選択図】　　　　なし【特許請求の範囲】
【請求項１】
パルプ繊維を含有するセメント繊維板を粉砕して粉砕物を生成し、該粉砕物に着色顔料ペースト、結合剤及び水を混練し、所定サイズに乾燥粉砕して粒状化することを特徴とする融雪材。
【請求項２】
前記着色顔料ペーストがカーボンブラックであることを特徴とする請求項１記載の融雪材。
【請求項３】
パルプ繊維を含有するセメント繊維板を粉砕して粉砕物を生成し、該粉砕物に水を混練し、所定サイズに乾燥粉砕して粒状化することを特徴とする融雪材。
【発明の詳細な説明】
【０００１】
【発明の属する技術分野】
本発明は、屋根材や外装材等に用いられるセメント繊維板を粉砕して融雪効果を有する融雪材に関する。
【０００２】
【従来の技術】
特開平４−３７０１８９号公報に開示されているように、この氷結防止材はプラスチック廃材と遠赤外物質等との混合物からペレットを形成する。そして、このペレットにセメントを混合して所定量の水を加えた後、型枠で成形する。そして、セメントが固結した後、脱型することより氷結防止材を形成するものである。このように、プラスチック廃材の廃棄物と遠赤外物質等との混合物からペレットを形成して、廃棄物を有効利用した氷結防止材がある。
【０００３】
しかしながら、融雪材としてパルプ繊維を含有するセメント繊維板を粉砕して粉砕物として用いたものはなかった。又、細かいパウダー状の石灰燃焼灰（フライアッシュ）が重量則に比例して保温効果と融雪効果を出していたが、この石灰燃焼灰（フライアッシュ）の散布は、スノーモービルに散布機を牽引して行なわれなければならないので、粉が飛散して融雪効果を損ない、効率散布ができないという問題があった。
【０００４】
【発明が解決しようとする課題】
本発明は上記課題を解決するためにパルプ繊維を含有するセメント繊維板を粉砕して粉砕物を生成し、廃棄物を有効利用して所定サイズに粒状化し、散布する際に飛散することもなく融雪効果の大なる融雪材を提供することにある。
【０００５】
【課題を解決するための手段】
請求項１に記載の融雪材は、パルプ繊維を含有するセメント繊維板を粉砕して粉砕物を生成し、該粉砕物に着色顔料ペースト、結合剤及び水を混練し、所定サイズに乾燥粉砕して粒状化することを特徴としている。
【０００６】
したがって、廃棄物を有効利用して所定サイズに粒状化し、散布する際に飛散することもなく融雪効果の大なるものである。
【０００７】
請求項２に記載の融雪材は、請求項１に記載の着色顔料ペーストがカーボンブラックであることを特徴としている。
【０００８】
したがって、カーボンブラックが黒色系であるので、熱の吸収効率が良いので、融雪効果がより増大する。
【０００９】
請求項３に記載の融雪材は、パルプ繊維を含有するセメント繊維板を粉砕して粉砕物を生成し、該粉砕物に水を混練し、所定サイズに乾燥粉砕して粒状化することを特徴としている。
【００１０】
したがって、廃棄物を有効利用して所定サイズに粒状化し、散布する際に飛散することもなく融雪効果が大で、しかも早く肥料になりやすいものである。
【００１１】
【発明の実施の形態】
以下、本発明の一実施形態に係わる融雪材について説明する。
【００１２】
外装材や瓦等の建築材料に用いられ、廃棄物として投棄されるパルプ繊維を含有するセメント繊維板を粉砕して粉砕物を生成し、この粉砕物に着色顔料ペースト、結合剤及び水を混練し、所定サイズに乾燥粉砕して粒状化して融雪材を形成するものである。
【００１３】
このとき、着色顔料ペーストは、熱吸収効果の大なるカーボンブラック等が用いられる。又、結合剤としては、メチルセルロースが用いられる。さらに、スノーモービルに散布機を牽引して散布しても飛散しないように粒径φ２〜８ｍｍ程度に成形するものである。
【００１４】
尚、外装材や瓦等の建築材料に用いられ、廃棄物として投棄されるパルプ繊維を含有するセメント繊維板の繊維量は、抄造品で全体重量の８〜９％配合され、平均繊維長が０．９ｍｍが５０％、２．５ｍｍが５０％配合されたものである。又、押出品では、全体重量の６〜７％配合され、平均繊維長が１ｍｍが１００％配合されたものである。尚、これらの建築材料は廃棄物であるので、パルプ繊維を含有するセメント以外に、フライアッシュ、珪石粉等が配合されている。
【００１５】
したがって、廃棄物に含まれるパルプ繊維の吸湿作用により、融雪効果が増し、さらに、黒色系の着色顔料ペーストにより、より熱吸収効果が増大し、融雪効果が良好となる。
【００１６】
さらに、本発明の異なる実施形態に係わる融雪材について以下に説明する。
【００１７】
外装材や瓦等の建築材料に用いられ、廃棄物として投棄されるパルプ繊維を含有するセメント繊維板を粉砕して粉砕物を生成し、該粉砕物に水を混練し、所定サイズに乾燥粉砕して粒状化して融雪材を形成したものである。
【００１８】
この成形品は、水のみの配合によりパルプ繊維の絡みによって造粒するようにした配合であって、上記実施形態のように、バインダーや着色顔料ペーストが用いられないものである。したがって、水のみで造粒するものであって、スノーモービルに散布機を牽引して散布しても飛散しないように粒径φ１〜５ｍｍ程度に成形するものである。
【００１９】
尚、外装材や瓦等の建築材料に用いられ、廃棄物として投棄されるパルプ繊維を含有するセメント繊維板の繊維量は、抄造品で全体重量の８〜９％配合され、平均繊維長が０．９ｍｍが５０％、２．５ｍｍが５０％配合されたものである。又、押出品では、全体重量の６〜７％配合され、平均繊維長が１ｍｍが１００％配合されたものである。尚、これらの建築材料は廃棄物であるので、パルプ繊維を含有するセメント以外に、フライアッシュ、珪石粉等が配合されている。
【００２０】
したがって、廃棄物に含まれるパルプ繊維の吸湿作用により、融雪効果が増大すると共に増し、バインダーや着色顔料ペーストが用いられないので、土に返りやすく肥料になりやすいものである。特に、廃棄物がセメント繊維板であるので土に返り肥料になりやすい。
【００２１】
以下、本発明の実施例に係わる表１に基づいて説明する。
【表１】
2004018826.tif 000002
【００２２】
上表のように、実施例１として、パルプ繊維を含有するセメント繊維板を粉砕して粉砕物を生成し、この粉砕物に着色顔料ペースト、結合剤及び水を混練し、所定サイズに乾燥粉砕して粒状化して形成した着色剤ありのもと、実施例２として、パルプ繊維を含有するセメント繊維板を粉砕して粉砕物を生成し、この粉砕物に水を混練し、所定サイズに乾燥粉砕して粒状化して形成した着色剤なしのものを比較したものである。
【００２３】
（実施例１）
【００２４】
パルプ繊維を含有するセメント繊維板５ｋｇをミキサーで粉砕して粉砕物を生成し、この粉砕物に着色顔料ペースト（カーボンブラック）５０ｇ、結合剤（メチルセルロース）１ｋｇ及び水１ｋｇを混練し、乾燥粉砕して粒径φ２〜８ｍｍ程度に粒状化して成形した。このとき、嵩比重は、０．４〜０．５となるものである。
【００２５】
この結果、日のあたるところでは、１２０分で融雪率６５％を得た。
【００２６】
（実施例２）
【００２７】
パルプ繊維を含有するセメント繊維板５ｋｇをミキサーで粉砕して粉砕物を生成し、この粉砕物に水２〜３ｋｇを混練し、乾燥粉砕して粒径φ１〜５ｍｍ程度に粒状化して成形した。このとき、パルプ繊維によって粒状化される。
【００２８】
この結果、日のあたるところでは、１２０分で融雪率５２％を得た。
【００２９】
以上のように、実施例１のように着色顔料ペーストを配合した方が、実施例２のように着色顔料ペーストを配合しないものより融雪率が高くなり、効率的であることがわかる。しかしながら、実施例２の方が、早く廃棄物が肥料になりやすいものなる。
【００３０】
上記実施例１のように着色顔料ペーストとして黒色又は緑色を配合したもので、パルプ繊維の有無による融雪率の比較を下表２に基づいて説明する。
【００３１】
実施例３は、パルプ繊維の有りのものであり、実施例４は、パルプ繊維の無しによるものである。
【表２】
2004018826.tif 000003
【００３２】
（実施例３）
【００３３】
パルプ繊維を配合し、着色顔料ペーストが黒色の場合は、緑色のものよりも時間経過しても融雪率が増大する。融雪率が、黒色の場合は６５％で緑色の場合は５７％となる。黒色の場合は８％も緑色のものよりも融雪率が増大する。
【００３４】
（実施例４）
【００３５】
パルプ繊維を配合せずしても、着色顔料ペーストが黒色の場合は、緑色のものよりも時間経過しても融雪率が増大する。このとき、融雪率が、黒色の場合は５２％で緑色の場合は４８％となる。
【００３６】
このように、実施例３と実施例４とを比較すると全体的にパルプ繊維が配合されている方が融雪率に寄与していることがわかる。特に、パルプ繊維を配合し、着色顔料ペーストが黒色の場合は、融雪率が６５％、パルプ繊維を配合しないで、着色顔料ペーストが黒色の場合は、融雪率が５２％となり、パルプ繊維を含むことで７％も融雪率が増大する。
【００３７】
さらに、これらの廃棄物の主材は、セメント系であるので最終的に土に返り肥料化するので融雪後も特に問題がない。
【００３８】
【発明の効果】
請求項１に記載の融雪材は、パルプ繊維を含有するセメント繊維板を粉砕して粉砕物を生成し、この粉砕物に着色顔料ペースト、結合剤及び水を混練し、所定サイズに乾燥粉砕して粒状化しているので、廃棄物を有効利用して所定サイズに粒状化し、散布する際に飛散することもなく融雪効果の大なるものである。
【００３９】
請求項２に記載の融雪材は、着色顔料ペーストがカーボンブラックであるので、黒色系であるので、熱の吸収効率が良いので、融雪効果がより増大する。
【００４０】
請求項３に記載の融雪材は、パルプ繊維を含有するセメント繊維板を粉砕して粉砕物を生成し、この粉砕物に水を混練し、所定サイズに乾燥粉砕して粒状化しているので、廃棄物を有効利用して所定サイズに粒状化し、散布する際に飛散することもなく融雪効果が大で、しかも早く肥料になりやすいものである。